(57)【要約】  【課題】簡易な構成にて効率のよい抜染処理を行うことができる抜染処理機Ａを提供する。  【解決手段】繊維布Ｃ等の被抜染物を抜染処理する抜染処理機Ａにおいて、前記被抜染物を加熱及び加圧処理する熱プレス装置１２と、この熱プレス装置１２の下方に配置され、上面に前記被抜染物を載置する載置面２２ａを形成した被抜染物載置台２２と、この被抜染物載置台の下方に配置され、水を収容する水収容槽２３１と、当該水収容槽２３１内の水を加熱する加熱器とを有し、この水収容槽２３１から発生する蒸気を利用して前記被抜染物を蒸熱処理する蒸気発生装置２３とを有し、前記被抜染物載置台２２に被抜染物を載置させた状態で、前記熱プレス装置１２を用いて、被抜染物に対して上方より加熱及び加圧処理を施すと同時に、前記蒸気発生装置２３を用いて被抜染物に対して下方より蒸熱処理を施すことを特徴とする。  【選択図】図２
2006176889.tif 000002
【特許請求の範囲】
【請求項１】
繊維布等の被抜染物を抜染処理する抜染処理機において、
前記被抜染物を加熱及び加圧処理する熱プレス装置と、
この熱プレス装置の下方に配置され、上面に前記被抜染物を載置する載置面を形成した被抜染物載置台と、
この被抜染物載置台の下方に配置され、水を収容する水収容槽と、当該水収容槽内の水を加熱する加熱器とを有し、この水収容槽から発生する蒸気を利用して前記被抜染物を蒸熱処理する蒸気発生装置とを有し、
前記被抜染物載置台に被抜染物を載置させた状態で、前記熱プレス装置を用いて、被抜染物に対して上方より加熱及び加圧処理を施すと同時に、前記蒸気発生装置を用いて被抜染物に対して下方より蒸熱処理を施すことを特徴とする抜染処理機。
【請求項２】
前記熱プレス装置を備える蓋体と、
この蓋体を開閉可能な状態に取り付け前記被抜染物載置台と前記蒸気発生装置を備える抜染処理機本体とを具備し、
前記蓋体を閉めた状態で、前記熱プレス装置を用いて、被抜染物に対して上方より加熱及び加圧処理を施すと同時に、前記蒸気発生装置を用いて被抜染物に対して下方より蒸熱処理を施すことを特徴とする請求項１記載の抜染処理機。
【請求項３】
前記蓋体に、熱プレス装置の加熱面を前記被抜染物に圧接させる方向に移動させ前記被抜染物に対する加圧力を調整可能な圧力調節装置を設けていることを特徴とする請求項２記載の抜染処理機。
【請求項４】
前記抜染処理機本体に、当該抜染処理機本体内の水蒸気を大気放出する排気装置を設けていることを特徴とする請求項２または３記載の抜染処理機。
【請求項５】
前記載置面に、前記蒸気発生装置からの蒸気を拡散させる貫通孔を複数設けていることを特徴とする請求項１乃至４記載の抜染処理機。
【請求項６】
前記被抜染物載置台として、貫通孔を複数開孔させた金属製の網を用いていることを特徴とする請求項５記載の抜染処理機。
【請求項７】
前記被抜染物載置台の載置面または前記熱プレス装置の加熱面に当て布を載置したことを特徴とする請求項１乃至６記載の抜染処理機。
【請求項８】
前記被抜染物載置台の載置面を、スライド可能に構成していることを特徴とする請求項１乃至７記載の抜染処理機。
【請求項９】
前記水収容槽内の水量を調節する水量調節装置を有することを特徴とする請求項１乃至８記載の抜染処理機。
【請求項１０】
前記熱プレス装置の加熱面に前記被抜染物を密着させるための密着装置を有することを特徴とする請求項１乃至９記載の抜染処理機。
【請求項１１】
前記熱プレス装置の加熱面が、前記被抜染物に当接する角度を調節する角度調節装置を有することを特徴とする請求項１乃至１０記載の抜染処理機。
【請求項１２】
請求項１乃至１１記載の抜染処理機を用いて、抜染処理を施したことを特徴とする繊維製品。
【請求項１３】
請求項１乃至１１記載の抜染処理機を用いて、抜染処理を施したことを特徴とするカットされた繊維布。
【請求項１４】
布地等の被抜染物を抜染処理する抜染方法において、
前記被抜染物を加熱及び加圧処理する熱プレス装置と、
この熱プレス装置の下方に配置され、上面に前記被抜染物を載置する載置面を形成した被抜染物載置台と、
この被抜染物載置台の下方に配置され、水を収容する水収容槽と当該水収容槽内の水を加熱する加熱器とを有し、この水収容槽から発生する蒸気を利用して前記被抜染物を蒸熱処理する蒸気発生装置とを有し、
前記被抜染物載置台に被抜染物を載置させた状態で、前記熱プレス装置を用いて、被抜染物に対して上方より加熱及び加圧処理を施すと同時に、前記蒸気発生装置を用いて被抜染物に対して下方より蒸熱処理を施すことを特徴とする抜染方法。
【発明の詳細な説明】
【技術分野】
【０００１】
本発明は、布等の染色における抜染工程を行うための抜染処理機に関するものである。
【背景技術】
【０００２】
従来、繊維布に対する染色の要素技術として、抜染処理技法が知られている。
【０００３】
ここで抜染処理の一例としては、不断の長物繊維布に対して、染色と抜染を連続して行う防抜染処理が挙げられる。具体的には、抜染剤を配合した処理剤、または、抜染剤と抜染剤で抜染されない不抜染料を配合した処理剤を繊維布に印捺した後、当該印捺面上に抜染剤にて抜染される可抜染料を全面に印捺する。その後、乾燥工程、蒸し工程、水洗工程、乾燥工程を順次行う防抜染処理方法が知られている。
【０００４】
また、他の抜染処理としては、例えば可抜染料にて無地染めして全面着色された繊維布に、抜染剤を配合した処理剤を印捺し、その後、乾燥工程、蒸し工程、水洗工程、乾燥工程を経て最終染め上がり品を仕上げる方法がある。
【０００５】
以上の何れの抜染処理においても、蒸し工程が必須となっており、不断の長物繊維布を蒸す蒸し工程としては、常圧で水蒸気を使用するスチーム機、高温常圧で加熱水蒸気を使用するＨＴＳ、高温高圧水蒸気を使用するＨＰＳを使用する方法が知られている。
【０００６】
一方、縫製された繊維製品やカットされた繊維布の蒸し工程としては、家庭用の蒸し釜等を用いたり、濡らした繊維布を抜染処理したい繊維布に当て、熱プレス機で加熱及び加圧したりする方法がある。（例えば、特許文献１を参照）
【特許文献１】特開平９−１３２８７号
【発明の開示】
【発明が解決しようとする課題】
【０００７】
しかし、高温常圧で加熱水蒸気にて蒸すＨＴＳ等は、機能を発揮するために大掛かりな装置となっている上、繊維布に対する加熱蒸し工程を連続的に装置内で行うため、繊維製品やカットされた繊維布等の抜染処理を行う際には、生産効率が極めて悪いという不具合が生じる。
【０００８】
一方、家庭用の蒸し釜等では、水蒸気のみの加熱となることから、蒸熱時間に１０分から２０分という長時間が必要となる。
【０００９】
また、濡らした布を用いて加熱及び加圧する方法では、その都度濡らした布を抜染処理を行う繊維布に当てなければならず、手間がかかり非効率である上、湿潤した布の水分を常に一定に保つことができず、抜染斑が生じてしまうという欠点がある。
【００１０】
本発明は、上記の事柄に鑑みてなされたものであり、その目的は、縫製した繊維製品やカットした繊維布等の抜染処理を簡便且つ効率的に行うことができる抜染処理機を提供することにある。
【課題を解決するための手段】
【００１１】
そこで本願は、繊維布等の被抜染物を抜染処理する抜染処理機において、前記被抜染物を加熱及び加圧処理する熱プレス装置と、この熱プレス装置の下方に配置され、上面に前記被抜染物を載置する載置面を形成した被抜染物載置台と、この被抜染物載置台の下方に配置され、水を収容する水収容槽と、当該水収容槽内の水を加熱する加熱器とを有し、この水収容槽から発生する蒸気を利用して前記被抜染物を蒸熱処理する蒸気発生装置とを有し、前記被抜染物載置台に被抜染物を載置させた状態で、前記熱プレス装置を用いて、被抜染物に対して上方より加熱及び加圧処理を施すと同時に、前記蒸気発生装置を用いて被抜染物に対して下方より蒸熱処理を施すことを特徴とする。
【００１２】
このように、蒸気発生装置より発生した水蒸気を、被抜染物の下方から当てながら、同時に上方より熱プレスを施すことで、従来のような高圧蒸気や高温蒸気等を使用することなく、簡易な構成にて効率のよい抜染処理が可能となる。また、高圧蒸気等を発生させる必要がないため、そのような装置を扱うための免許等も必要なく、縫製された繊維製品や、カットされた繊維布等の抜染処理をする際に、家庭でも気軽に利用することができる。
【００１３】
更に、蒸熱処理と同時に熱プレス装置にて加熱することで、過剰な水蒸気は拡散し、抜染処理に必要な水蒸気のみが被抜染処理物に作用することとなり、抜染模様が滲んだり、斑になったりすることなく、極めて安定且つ短時間に抜染処理することができる。
【００１４】
具体的な態様としては、前記熱プレス装置を備える蓋体と、この蓋体を開閉可能な状態に取り付け前記被抜染物載置台と前記蒸気発生装置を備える抜染処理機本体とを具備し、前記蓋体を閉めた状態で、前記熱プレス装置を用いて、被抜染物に対して上方より加熱及び加圧処理を施すと同時に、前記蒸気発生装置を用いて被抜染物に対して下方より蒸熱処理を施すことが考えられる。
【００１５】
このようなものであれば、安全に持ち運び可能な上、抜染処理機全体をコンパクトな構成とすることができる。
【００１６】
従って、例えば、縫製された繊維製品や、カットされた繊維布を手軽に抜染処理する際に適している。
【００１７】
更に、効率よく抜染処理を行うためには、前記蓋体に、熱プレス装置の加熱面を前記被抜染物に圧接させる方向に移動させ前記被抜染物に対する加圧力を調整可能な圧力調節装置を設け、前記被抜染物に適切な圧力を加えることが望ましい。
【００１８】
加えて、前記抜染処理機本体に当該抜染処理機本体内の水蒸気を大気放出する排気装置を設けることで、抜染処理時に不要な水蒸気が抜染処理機本体や蓋体内に滞留することを防止し、また、水蒸気を抜染処理機本体や蓋体内で結露させることがないため、余剰の水蒸気によって抜染処理に悪影響を及ぼす心配がない。更に、当該排気装置を抜染処理機本体に設けることで、抜染処理機本体内にて発生した水蒸気が前記蓋体内へ進入することを好適に防止した状態で、水蒸気を抜染処理機の外部へ排出することができる。
【００１９】
また、濡れ蒸し斑を防ぎ適切な蒸気量にて被抜染物を処理するため前記載置面に、前記蒸気発生装置からの蒸気を拡散させる貫通孔を複数設け、被抜染処理物に対して水蒸気を均一に当てることが望ましい、
具体的な構成としては、前記被抜染物載置台として、貫通孔を複数開孔させた金属製の網を用いることが考えられる。
【００２０】
尚、ここで、「前記被抜染物載置台として、貫通孔を複数開孔させた金属製の網を用いる」とは、前記被抜染物載置台を、前記金属製の網のみにて構成する場合や、例えば金属製の網を支持する貫通孔を複数設けた支持台と前記金属製の網等にて構成する場合も含まれる。
【００２１】
更に、前記被抜染物載置台の載置面または前記熱プレス装置の加熱面に当て布を載置することで、より一層水蒸気を拡散することが可能となる。
【００２２】
加えて、前記被抜染物載置台の載置面を、スライド可能に構成することで、被抜染物を載置する際の取り扱いを容易にすることができる。つまり、例えば被抜染物を載置する際には、蒸気が発生していない位置（使用者の手前）に載置面を引出した状態で
被抜染物を載置し、その後、蒸気が発生している位置まで載置面をスライドさせることで、使用者が安全に被抜染物の載置作業を行うことが可能となる。
【００２３】
また、連続して水蒸気を発生させていると、前記水収容槽内の水が減少する。従って、水を追加する必要があるが、一度に多量の水を追加すると、前記水収容槽内の温度が一気に低下してしまい、水蒸気の発生が中断してしまう恐れがある。そこで、前記水収容槽内の水量を調節する水量調節装置を設けることにより、自動的に逐次水を追加して一定の水量を維持し、水蒸気量の変化による抜染斑を好適に防止することができる。
【００２４】
ここで、一定の水量とは、例えば上限値及び下限値を定めたある程度の幅のあるものでも良いし、一の最適水量値を定めたものでも良い。
【００２５】
更に、前記熱プレス装置の加熱面に前記被抜染物を密着させるための密着装置を設けることで、プレス時の密着性を向上させることができ、熱伝導率が向上し好適な抜染処理を実現することができる。
【００２６】
加えて、前記熱プレス装置の加熱面が、前記被抜染物に当接する角度を調節する角度調節装置を有することにより、被抜染物の厚みが変化しても常に適切な当接状態にて加熱することが可能となる。
【発明の効果】
【００２７】
本願発明により、従来のような高圧蒸気や高温蒸気等を使用することなく、簡易な構成にて効率のよい抜染処理が可能となる。また、高圧蒸気等を発生させる必要がないため、そのような装置を扱うための免許等も必要なく、縫製された繊維製品や、カットされた繊維布等の抜染処理をする際に、家庭でも気軽に利用することができる。
【００２８】
更に、蒸熱処理と同時に熱プレス装置にて加熱することで、過剰な水蒸気は拡散し、抜染処理に必要な水蒸気のみが被抜染処理物に作用することとなり、抜染模様が滲んだり、斑になったりすることなく、極めて安定且つ短時間に抜染処理することができる。
【発明を実施するための最良の形態】
【００２９】
以下、本願発明の抜染処理機Ａの一実施の形態を図面を用いて説明する。
【００３０】
図１は、抜染処理機Ａの蓋体１を閉じた状態を示す全体斜視図であり、図２は、蓋体１を開けた状態を示す全体斜視図である。
【００３１】
本願発明の抜染処理機Ａは、繊維布Ｃに対する抜染処理に利用されるものであり、繊維布Ｃを加熱及び加圧処理する熱プレス装置１２と、この熱プレス装置１２の下方に配置され、上面に前記繊維布Ｃを載置する載置面２２ａを形成した被抜染物載置台２２と、この被抜染物載置台２２の下方に配置され、水を収容する水収容槽２３１と、当該水収容槽２３１内の水を加熱する加熱ヒータ２３２とを有し、この水収容槽２３１から発生する蒸気を利用して前記繊維布Ｃを蒸熱処理する蒸気発生装置２３とを有している。
【００３２】
詳述すると、本願発明の抜染処理機Ａは、図３に示すように、前記熱プレス装置１２を備える蓋体１と、この蓋体１を開閉可能な状態に取り付け前記被抜染物載置台２２と前記蒸気発生装置２３を備える抜染処理機本体２とを具備し、前記蓋体１を閉めた状態で、前記熱プレス装置１２を用いて、前記被抜染物載置台２２の上に載置させた繊維布Ｃに対して上方より加熱及び加圧処理を施すと同時に、前記蒸気発生装置２３を用いて被抜染物に対して下方より蒸熱処理を施して抜染処理をする。
【００３３】
蓋体１は、収容物の框体となる蓋体カバー１１と、蓋体カバー１１内に収容された前記熱プレス装置１２と、当該熱プレス装置１２を用いて、前記繊維布Ｃを加熱及び加圧処理する際に、熱プレス装置１２の加熱面１２２ａを前記繊維布Ｃに圧接させる方向に移動させ前記被抜染物に対する加圧力を調整可能な圧力調節装置１３と、前記熱プレス装置１２の加熱面１２２aが、前記繊維布Ｃに当接する角度を調節する角度調節装置１４にて構成すると共に、後述する抜染処理機本体２に蝶板１６を介して連結し、当該蓋体１に取付けた蓋体開閉ハンドル１５を用いて、抜染処理機本体２に対して開閉可能なものとしている。
【００３４】
尚、当該抜染処理機Ａは、例えば卓上等に移動可能な状態で設置できるものである。
【００３５】
蓋体カバー１１は、内部に内部空間Ｓ１を形成し下面側を開放した平面視矩形状のものである。また、当該内部空間Ｓ１内にはグラスウール等の保温材が充填している。
【００３６】
熱プレス装置１２は、吊下げ具１２１を用いて前記蓋体カバー１１内に取付けられ、繊維布Ｃと接触した状態で加熱する加熱プレート１２２と、この加熱プレート１２２を熱する加熱ヒータ１２３とを備えている。
【００３７】
吊下げ具１２１は、後述する角度調節装置１４を兼ねているもので、前記蓋体１内に設けられ、当該蓋体１の内部空間内Ｓ１に前記熱プレス装置１２を揺動可能に吊り下げる機能を有するものである。
【００３８】
加熱プレート１２２は、その下面を蓋体カバー１１の下方側開放部より露出させた状態で前記蓋体カバー１１に吊り下げられている。また、この加熱プレート１２２の下面は、繊維布Ｃを加熱する加熱面１２２ａを形成している。また、この加熱面１２２ａは、後述する載置面２２ａと略同様の面積又はそれ以上の面積を有している。
【００３９】
尚、当該加熱プレート１２２の外側周部と前記蓋体カバー１１の内側周部との隙間には、密閉部材１１aを設けており、前記蓋体カバー１１の内部空間Ｓ１と後述する抜染処理機本体２の内部空間Ｓ２との間を遮断している。これにより、前記蓋体１の内部空間Ｓ１内に抜染処理機本体２の内部空間Ｓ２からの蒸気が侵入することを防止している。
【００４０】
加熱ヒータ１２３は、前記加熱プレート１２２の加熱面１２２ａを１００℃から２００℃に熱する機能を有するいわゆる電気ヒータであり、温度調節器２７２を用いて最適温度に調整することが可能なものである。
【００４１】
圧力調節装置１３は、使用者が圧力調整の際に操作する操作部１３１と、当該操作部１３１を操作することで前記加熱プレート１２２が繊維布Ｃに対してかける圧力を調節可能な調節部１３２とを備える。
【００４２】
具体的には、前記操作部１３１は、その一端が前記調整部１３２の一端に取付けられており、当該操作部１３１を蓋体開閉ハンドル１５に設けたガイド部１３１ａに沿って移動させることで、前記調整部１３２を加熱プレート１２２の中心位置に対して近接及び離間させることが可能なものである。
【００４３】
前記調節部１３２は、繊維布Ｃに対して加圧するための重りとなるバランスウェイトであり、蓋体開閉ハンドル１５の反使用者側に取付けられている。
【００４４】
そして、前記操作部１３１を操作することにより、当該調整部１３２を加熱プレート１２２の中心位置に対して近接及び離間させることで前記加熱プレート１２２が繊維布Ｃに対してかける圧力を調節できる。
【００４５】
角度調節装置１４は、後述する蓋体開閉ハンドル１５に設けた第一取付部１４１と、前記加熱プレート１２２に設けた第二取付部１４２と、当該第一取付部１４１と第二取付部１４２とを回動可能に軸止する軸部１４３とから構成している。また、当該角度調節装置１４には、ネジなどによる当接部材からなるストッパ（図示しない）を設け、揺動幅を一定に規制している。
【００４６】
この様に、加熱プレート１２２を蓋体開閉ハンドル１５に対して揺動可能な状態に取り付けることで、重力により常に前記加熱プレート１２２が自動的に水平状態を保とうとする。よって、前記熱プレス装置１２の加熱面１２２aが前記繊維布Ｃに当接する角度は、自動的に最適な状態に調節される。
【００４７】
尚、本実施の形態においては、加熱プレート１２２と蓋体カバー１１とはネジ止めしているため当該角度調節装置１４により蓋体１全体が揺動する。
【００４８】
第一取付部１４１は、蓋体開閉ハンドル１５の下端から垂下する一対の軸受け部であり、また、第二取付部１４２は、前記加熱プレート１２２の上部から一体に立設する一対の軸受け部である。
【００４９】
軸部１４３は、前記第一取付部１４１及び第二取付部１４２とからなる軸受け部に軸止される水平軸である。
【００５０】
蓋体開閉ハンドル１５は、使用者側に設けた握持部１５１と、当該握持部１５１を上下操作して、抜染処理機Ａを開閉可能とするビーム１５２とから構成される。
【００５１】
握持部１５１は、蓋体１の上方使用者側位置に配置された円筒状の筒体であり、当該両端が前記ビーム１５２の前端部と連結されている。
【００５２】
ビーム１５２は、前記蓋体１を抜染処理機本体２に連結する蝶板１６を介してその基端部を前記蓋体１の後面に取付けられると共に、前記角度調整装置１４を介して、中央部を蓋体１の上面に取り付けられている。
【００５３】
また、当該ビーム１５２の後方には前記圧力調節装置１３が設けられている。
【００５４】
抜染処理機本体２は、上方側を開放し前記蓋体カバー１１と当接する抜染処理機本体カバー２１と、この抜染処理機本体カバー２１の内部空間Ｓ２内に収容される被抜染物載置台２２と、この被抜染物載置台２２の上に載置された繊維布Ｃを蒸熱する蒸気発生装置２３と、この蒸気発生装置２３に利用される水の水量を調節する水量調節装置２４と、前記抜染物載置台２２上に広げられる当て布２５と、前記熱プレス装置１２や蒸気発生装置２３等の各種装置の制御を行う制御手段２７と、当該抜染処理機本体２内の水蒸気を大気放出する排気装置であるファン２８とを備え、底面に取り付けた脚２６を介して床面等に設置されるものである。
【００５５】
抜染処理機本体カバー２１は、上述の通り被抜染物載置台２２及び蒸気発生装置２３等を内部空間Ｓ２内に収容する框体であり、具体的には前記被抜染物載置台２２の載置面２２ａを、前記熱プレス装置１２の加熱面１２２ａに近接させ、載置面２２ａを抜染処理機本体カバー２１から露出した状態に配置し、その下方に蒸気発生装置２３を配置している。
【００５６】
被抜染物載置台２２は、上部に載置面２２ａを形成した金属製の網２２１を、図示しない支持部材を用いて前記抜染処理機本体カバー２１内に配置したものである。
【００５７】
網２２１は、厚さが３ミリのステンレス製のものであり、平面視略矩形状としている。詳述すると、前記抜染処理機本体カバー２１の開口部形状より僅かに小形の形状とし、当該網２２１の側周面と前記抜染処理機本体カバー２１の内側面とを離間させた状態で前記抜染処理機本体カバー２１内に配置し、当該網２２１の側方から水蒸気が通る空間を形成するようにしている。
【００５８】
また、その略全面に均一な状態で、前記蒸気発生装置２３からの蒸気を拡散させる貫通孔２２１ａを、複数開孔させている。
【００５９】
この貫通孔２２１ａは、直径が７ミリのものであり、隣接する貫通孔２２１ａ間の離間距離を３ミリとした状態で設けられている。
【００６０】
尚、厚みは５ミリ以下、直径は１０ミリ以下、離間距離は１ミリから１０ミリの間でも良く、好ましくは、厚みは３ミリ以下、直径は７ミリ以下、離間距離は１ミリから６ミリの間に設定することが考えられる。
【００６１】
載置面２２ａは、前記加熱面１２２ａと略同様の面積を有しているものであり、前記蓋体１と前記抜染処理機本体２とを密接に閉じた状態で、縫製された繊維製品や、カットされた繊維布Ｃを載置可能なものである。
【００６２】
蒸気発生装置２３は、水を収容する水収容槽２３１と、当該水収容槽２３１内の水を加熱する加熱ヒータ２３２より形成されている。
【００６３】
水収容槽２３１は、一定水量の水を内部に蓄積可能な框体であり、その上部に上向きに開放した開放部を設け、当該開放部から水蒸気を上方に向けて放出可能なものである。この開放部は、前記載置面２２ａと略等しい面積を有しており、載置面２２ａの全面に対して下方から水蒸気を当てることができるように構成している。
【００６４】
加熱ヒータ２３２は、前記水収容槽２３１内の水に少なくとも一部を浸水可能に取付けられおり、具体的には、水収容槽２３１の内部空間内に設けられた電気ヒータにて構成している。
【００６５】
水量調節装置２４は、前記水収容槽２３１内に浮かぶフロート２４１と、前記フロート２４１にて水収容槽２３１内に給水する図示しない給水器と、前記水収容槽２３１内の水量が予め設定した上限値以上になった場合に水収容槽２３１内の水を排水するオバーフロー排水口２４２とを備えている。尚、水の不足分を補う給水器のみにて構成することもできる。
【００６６】
フロート２４１は、前記水収容槽２３１内の水量を検知するものであり、一端を前記水収容槽２３１内に固定した状態で、前記水収容槽２３１内に浮かんでいる。
【００６７】
給水器は、図示しない水道や給水タンク等から必要に応じて水収容槽２３１内に水を給水するものであり、前記フロート２４１の沈み込みに対応して直ちに給水を行う。実施の形態においては、略常時必要な水が給水されている。
【００６８】
オバーフロー排水口２４２は、何らかの故障等により、水量が異常に増えた際に余分な水を水収容槽２３１外に排水するためのものであり、前記抜染処理機本体２の底面近傍位置に設けられている。
【００６９】
当て布２５（図示しない）は、前記被抜染物載置台２２の載置面２２ａ上に載置されており、この当て布２５の上に、抜染処理をする繊維布Ｃを置くようにしている。
【００７０】
尚、本実施の形態において、当該当て布２５は綿のガーゼにて構成している。
【００７１】
制御手段２７としては、蒸熱や加熱時間を設定するタイマー２７１や、前記熱プレス装置１２や前記蒸気発生装置２３の加熱温度を調節可能な温度調節器２７２や、各種装置の異常状態を知らせるブザー２７３などがある。
【００７２】
ファン２８は、当該抜染処理機本体２の後方下部に配置されており、蒸気発生装置２３の周囲空間を含む前記内部空間Ｓ２と連通する排気孔から、抜染処理機本体２内の水蒸気を抜染処理機本体２外に排出する。
【００７３】
排気孔は、抜染処理機本体２内で発生した水蒸気を特定の箇所に偏らせることなく排出し、抜染斑を生じさせないようにしている。
【００７４】
次に、以上の抜染処理機Ａを用いて、抜染処理を行う工程について説明する。
【００７５】
まず、当て布２５を前記被抜染物載置台２２の載置面２２ａを全て覆う状態に広げる。そして、その後前記当て布２５上に、抜染処理をする繊維布Ｃを載置し、前記開閉ハンドル１５を用いて蓋体１を閉める。
【００７６】
一方、当該繊維布Ｃは、事前処理として例えば可抜染料にて地染め後、抜染剤を配合した処理剤を印捺し乾燥させている。尚、事前処理は当該処理に限られない。
【００７７】
そして、前記圧力調節装置１３の操作部１３１を操作することにより、調整部１３２を加熱プレート１２２の中心位置に対して近接及び離間させることで前記加熱プレート１２２が繊維布Ｃに対してかける圧力を調節し、加熱プレート１２２の加熱面１２２ａが、抜染処理をする繊維布Ｃに密接する状態になるように調整する。
【００７８】
このとき、前記角度調節装置１４により、自動的に前記熱プレス装置１２の加熱面１２２aが前記繊維布Ｃに当接する角度が調節される。
【００７９】
次に、前記各種制御手段２７を操作して前記熱プレス装置１２や蒸気発生装置２３を調整後、前記熱プレス装置１２を用いて、被抜染物に対して上方より１００℃から２００℃で１０秒から１２０秒間、好ましくは、１２０℃から１８０℃で１５秒から９０秒間、加熱及び加圧処理を施すと同時に、前記蒸気発生装置２３を用いて繊維布Ｃに対して下方より蒸熱処理を施す。
【００８０】
そして、蓋体１を開けて繊維布Ｃを取り出し、水洗した後に乾燥させて最終抜染処理品に仕上げる。
【００８１】
尚、必ずしも水洗する必要は無い。
【００８２】
次に、当該抜染処理機Ａを用いた抜染処理に供する抜染剤及び繊維布Ｃの繊維種等について説明する。尚、抜染剤及び繊維布Ｃの繊維種等は、下記のものに限られないのはもちろんである。
【００８３】
抜染可能に染色された繊維については、塩化第一錫系抜染剤あるいは、スルフィン系抜染剤等の還元剤にて還元抜染できるものであれば、特に限定されるものではなく、天然繊維及び合成繊維、具体的には、綿、ナイロン、ポリエステル、アクリル、アセテート、レーヨン、ウール、絹等及びこれらの混紡繊維が考えられる。
【００８４】
また、被抜染処理物としては、縫製された繊維製品や縫製前のカットした繊維布Ｃ等が適している。
【００８５】
更に、縫製された繊維製品や縫製前のカットした繊維布Ｃ等を、抜染処理前に地染する染料としては、反応性染料、分散性染料、直接性染料、塩基性染料、酸性染料等、上記繊維種を染色可能な染料であり、前記還元剤にて抜染可能な染料であれば良い。
【００８６】
前記染料にて染め上げた繊維布Ｃ等に適用する抜染剤としては、スルフィン系抜染剤、具体的には、ロンガリット類、スーパーライト類、ハイドロサルファイト類、デクロリン類、二酸化チオ尿素等、従来公知のものを使用することができる。
【００８７】
また、抜染処理剤として、アルギン酸ソーダ、ＣＭＣ、ＨＥＣ、ローカストビーンガム、加工でんぷんなどの天然、半合成水溶性糊剤やＰＶＡなどの合成水溶性糊剤を水に溶解した糊、或いはターペンと水を乳化したレジューサー及びそれに固着剤を配合したバインダーに抜染剤を配合したものを用いることができる。
【００８８】
更に、抜染処理剤中に不抜染料を配合して着色抜染処理剤としたものや、顔料と固着剤と抜染剤を配合して顔料着色抜染処理剤としても良い。
【００８９】
顔料着色抜染処理において、顔料と固着剤を配合したバインダーを多色で印捺した後、その印捺部分の全面に固着剤と抜染剤を配合した抜染処理剤を印捺、乾燥して、その後当該抜染処理機Ａにて、抜染処理することも考えられる。
【００９０】
この顔料着色抜染処理剤に用いる固着剤としては、（メタ）アクリル酸エステル樹脂、ウレタン樹脂、エチレン酢酸ビニル共重合樹脂、塩化ビニル樹脂、エポキシ樹脂等を用いることができる。
【００９１】
また、顔料着色抜染処理剤に用いる顔料としては、通常の顔料捺染に用いるものであれば、無機系顔料、有機系顔料など抜染剤で退色や変色のないものを用いることもできる。加えて、パール顔料、金属顔料、蓄光顔料、フォトクロミック顔料、感熱色素等も考えられる。
【００９２】
更に抜染処理剤に、不抜染料、顔料、固着剤の他、乾燥遅効剤、有機溶剤、可塑剤、乳化剤、酸化防止剤、電解質、尿素、ＰＨ調整剤、防腐剤、増粘剤、糊料等を配合することができる。
【００９３】
以上の抜染処理機Ａの構成により、以下のような効果を発揮する。
【００９４】
本実施の形態の抜染処理機Ａは、蒸気発生装置２３より発生した水蒸気を、染色布の下方から当てながら、同時に上方より熱プレスを施すことで、従来のような高圧蒸気や高温蒸気等を使用することなく、簡易な構成にて効率のよい抜染処理が可能となる。また、高圧蒸気等を発生させる必要がないため、そのような装置を扱うための免許等も必要なく、縫製された繊維製品や、カットされた繊維布Ｃ等の抜染処理をする際に、家庭でも気軽に利用することができる。
【００９５】
更に、蒸熱処理と同時に熱プレス装置１２にて加熱することで、過剰な水蒸気は拡散し、抜染処理に必要な水蒸気のみが被抜染処理物に作用することとなり、抜染模様が滲んだり、斑になったりすることなく、極めて安定且つ短時間に抜染処理することができる。
【００９６】
また、前記熱プレス装置１２を備える蓋体１と、この蓋体１を開閉可能な状態に取り付け前記被抜染物載置台２２と前記蒸気発生装置２３を備える抜染処理機本体２とを具備しているため、安全に持ち運び可能な上、抜染処理機Ａ全体をコンパクトな構成とすることができる。
【００９７】
従って、例えば、縫製された繊維製品や、カットされた繊維布Ｃを手軽に抜染処理する際に適している。
【００９８】
更に、前記蓋体１に、熱プレス装置１２の加熱面１２２ａを前記被抜染物に圧接させる方向に移動させ前記被抜染物に対する加圧力を調整可能な圧力調節装置１３を設けているため、繊維布Ｃに適切な圧力を加え効率よく抜染処理を行うことができる。
加えて、前記抜染処理機本体２に当該抜染処理機本体２内の水蒸気を大気放出するファン２８を設けることで、抜染処理時に不要な水蒸気が抜染処理機本体２や蓋体１内に滞留することを防止し、また、水蒸気を抜染処理機本体２や蓋体１内で結露させることがないため、余剰の水蒸気によって抜染処理に悪影響を及ぼす心配がない。更に、当該ファン２８を抜染処理機本体２に設けることで、抜染処理機本体２内にて発生した水蒸気が前記蓋体１内へ進入することを好適に防止した状態で、水蒸気を抜染処理機Ａの外部へ排出することができる。
【００９９】
また、前記載置面２２ａに、前記蒸気発生装置２３からの蒸気を拡散させる貫通孔２２１ａを複数設け、被抜染処理物に対して水蒸気を均一に当てることができるため、抜染斑を防止できる。
【０１００】
更に、前記被抜染物載置台２２の載置面２２ａに当て布２５を載置することで、より一層水蒸気を拡散することが可能となる。
【０１０１】
また、連続して水蒸気を発生させていると、前記水収容槽２３１内の水が減少する。従って、水を追加する必要があるが、一度に多量の水を追加すると、前記水収容槽２３１内の温度が一気に低下してしまい、水蒸気の発生が中断してしまう恐れがある。そこで、前記水収容槽２３１内の水量を調節する水量調節装置２４を設けることにより、自動的に逐次水を追加して一定の水量を維持し、水蒸気量の変化による抜染斑を好適に防止することができる。
【０１０２】
更に、前記熱プレス装置１２の加熱面１２２aが、前記繊維布Ｃに当接する角度を調節する角度調節装置１４を有することにより、繊維布Ｃの厚みが変化しても常に適切な当接状態にて加熱することが可能となる。
【０１０３】
尚、各部の具体的な構成は、上述した実施形態のみに限定されるものではなく、本発明の趣旨を逸脱しない範囲で種々変形が可能である。
【０１０４】
例えば、本実施の形態においては、前記被抜染処理物の載置面２２ａを固定しているが、レール等のスライド機構を設けて、前記被抜染処理物の載置面２２ａを、前後方向及び左右方向スライド可能に構成しても良い。もちろん、前後方向等の一方向のみにスライド可能とすることもできる。
【０１０５】
これにより、被抜染物を載置する際の取り扱いを容易にすることができる。
【０１０６】
具体的には、図５に示すように、前記抜染処理機本体２から使用者側に突出する一対のスライドレール３を設け、当該スライドレール３に対して上面に載置面１２２ａを形成したスライド要素２２２をスライド可能に係止させる。
【０１０７】
尚、当該スライド要素２２２は、前記網２２１とは別部材にて構成されるものである。詳述すると、当該スライド要素２２２は、下向きコの字状に折り曲げ加工された平面視矩形状を成すものであり、前記蒸気発生装置２３からの蒸気を拡散させる貫通孔が複数設けられている。
【０１０８】
そして、繊維布Ｃを載置する際には、蒸気が発生していない位置（使用者の手前）に前記スライド要素２２２をスライドレール３に沿って引き出す。そして、引き出した状態で繊維布Ｃを載置し、その後、蒸気が発生している位置、つまり、前記抜染処理機本体カバー２１内に配置されている前記網２２１上まで前記スライド要素２２２をスライドレール３に沿って押し出してスライドさせることで、使用者が安全に繊維布Ｃの載置作業を行うことが可能となる。
【０１０９】
また、本実施の形態においては、前記蒸気発生装置２３の加熱器を電気ヒータとしたが、マイクロウェーブ等による電磁誘導器や、ガスバーナー等、水収容槽２３１内の水を沸騰できる熱源であれば、前記蒸気発生装置２３の加熱器としての役割を果たす。
【０１１０】
更に、水収容槽２３１の材質としては、煮沸温度に耐えうるものであれば、ステンレスやガラス、セラミック等で成型されたもので構わない。
【０１１１】
加えて、本実施の形態においては、金属製の網２２１としてステンレス製の網２２１を用いたが、アルミやマグネシウム等であっても良い。
【０１１２】
また、前記当て布２５の材質としては、綿、ナイロン、ポリエステル等の繊維を用いると良い。また、これらの生布に撥水処理等が施すことも考えられる。
【０１１３】
また、本実施の形態においては、当て布２５を前記被抜染物載置台２２の載置面２２ａに載置したが、前記熱プレス装置１２の加熱面１２２ａに当接するように取付けてもよい。
【０１１４】
更に、本実施の形態においては制御手段２７を抜染処理機本体２内に設けているが、例えば前記蓋体１の外に取付けている蓋体開閉ハンドル１５に取付けても良い。
【０１１５】
これにより、例えば抜染処理機本体２内に空間を形成し当該抜染処理機本体２内の蒸気を外へ放出し易い構造を実現できる。
【０１１６】
また、本実施の形態においては、前記操作部１３１を操作することにより、前記調整部１３２を加熱プレート１２２の中心位置に対して近接及び離間させることで圧力を調整できる様に構成しているが、例えば、調整部１３２の位置を変えることなく、ウェイトである調節部１３２を増減させることにより調整することも可能である。勿論、予め重量を定めた調節部１３２を、固定しておいても良い。
【０１１７】
加えて、前記熱プレス装置１２の加熱面１２２ａに前記繊維布Ｃを密着させるための密着装置４を設けても良い。
【０１１８】
具体的には、図６に示すように、シリコンラバーからなる密着シート４１にて前記加熱面１２２ａを覆うことが考えられる。この密着シート４１は、その端部を前記蓋体１の側周部にネジ等を用いて止着されている。
【０１１９】
この様に、加熱面１２２ａと繊維布Ｃとの間に密着シート４１を介在させることで、プレス時の密着性を向上させることができる。また、この密着シート４１は当て板やネジ等にて着脱可能に止着しているため、必要に応じて交換できる。
【０１２０】
尚、密着シート４１はシリコンラバーに限らないのは勿論である。
【０１２１】
更に、当該密着シート４１と繊維布Ｃとの間に、綿のガーゼ等の当て布２５を取付けることも考えられる。この当て布２５は、図６に示すように、張設手段５を用いて張った状態で取り付けると良い。
【０１２２】
張設手段５としては、当て布２５の端部にバネなどの弾性部材の一端を取付けると共に、当該弾性部材の他端を蓋体１の上部に取付けることで、常に当て布２５を張った状態にて繊維布Ｃに接触させることが可能となる。
【０１２３】
また、圧力調節装置１３の他の実施形態としては、図７に示すように、熱プレス装置１２の加熱面１２２ａを前記繊維布Ｃに圧接させる方向に移動させ前記繊維布Ｃに対する加圧力を調整可能な圧力調節装置である上下調節ハンドル１３を設けることも考えられる。
【０１２４】
上下調節ハンドル１３は、蓋体１の上面中央位置から一部を露出させた状態で立脚２６するものであり、使用者が握持する操作部１３１と、当該操作部１３１を操作することで前記加熱プレート１２２の高さを上下に調節可能な調節部１３２とを備える。
【０１２５】
具体的には、調節部１３２の下端に蓋体１内に設けた前記加熱プレート１２２を取付け、前記操作部１３１を回動させることにより、調節部１３２に設けた図示しないネジを螺合させ、加熱プレート１２２の加熱面１２２ａを、載置面２２ａに対して近接及び離間可能に構成している。
【図面の簡単な説明】
【０１２６】
【図１】本発明の一実施形態に係る抜染処理機の全体斜視図。
【図２】同実施形態に係る抜染処理機の蓋体を開けた状態を示す全体斜視図。
【図３】同実施形態に係る抜染処理機の側面図。
【図４】同実施形態に係る抜染処理機の正面図。
【図５】他の実施形態に係る抜染処理機の側面図。
【図６】他の実施形態に係る抜染処理機の概略部分拡大正面図。
【図７】他の実施形態に係る抜染処理機の側面図。
【符号の説明】
【０１２７】
Ａ・・・抜染処理機
Ｃ・・・被抜染物（繊維布）
１・・・蓋体
２・・・抜染処理機本体
１２・・・熱プレス装置
１３・・・圧力調節装置（上下調節ハンドル）
１４・・・角度調節装置
２２・・・被抜染物載置台
２２ａ・・・載置面
２３・・・蒸気発生装置
２４・・・水量調節装置
２５・・・当て布
１２２ａ・・・加熱面
２２１・・・網
２２１ａ・・・貫通孔
２３１・・・水収容槽
２３２・・・加熱器（加熱ヒータ）
２８・・・排気装置（ファン）
４・・・密着装置
【図１】
2006176889.tif 000003
【図２】
2006176889.tif 000004
【図３】
2006176889.tif 000005
【図４】
2006176889.tif 000006
【図５】
2006176889.tif 000007
【図６】
2006176889.tif 000008
【図７】
2006176889.tif 000009